(57)【要約】【課題】省スペース化によって、フィルタ交換スペースが確保されない場合であっても、短時間で容易にフィルタ交換できるブロワ装置を提供すること。【解決手段】ブロワ装置１は、上部ケース部１１１に内気導入口１２と外気導入口１３を形成し、下部ケース部１１２にフィルタ挿入室１５とを有している。内気導入口１２とフィルタ挿入室１５とは連接して形成することによってフィルタ体５の交換の際、内気導入口１２の上部からフィルタ挿入室１５の奥に向かって斜め方向に挿入した後、傾倒させてフィルタ挿入室１５内に収納する。一方、フィルタ挿入室１５のフィルタ挿入口１５１にはフィルタカバー２１を装着する。フィルタカバー２１には、切替ドア１６の一端に当接可能なストッパ部２３を形成して、切替ドア１６の位置決めを可能とする。【選択図】図１
2005001415.tif 000002
【特許請求の範囲】
【請求項１】
内気又は外気を導入して熱交換器で熱交換させるために下流側に送風するブロワ装置であって、
内気導入口と、外気導入口と、前記内気導入口又は前記外気導入口を開閉するための切替ドアと、前記内気導入口の下方に配置するフィルタ挿入部とを備え、
前記フィルタ挿入部が前記内気導入口と連接して形成されることを特徴とするブロワ装置。
【請求項２】
前記切替ドアが前記内気導入口を閉鎖する際、前記内気導入口における前記切替ドアの移動端部に、前記切替ドアの移動を規制するストッパ部が着脱可能に配置されていることを特徴とする請求項１記載のブロワ装置。
【請求項３】
前記ストッパ部が、前記フィルタ挿入部を塞ぐ着脱可能なフィルタカバーの一部であることを特徴とする請求項２記載のブロワ装置。
【発明の詳細な説明】
【０００１】
【発明の属する技術分野】
本発明は、内気又は外気を導入して内気又は外気を熱交換させるために熱交換器側に送風するブロワ装置に関し、さらに車両におけるインストルメントパネル内に配置するブロワ装置に関する。
【０００２】
【従来の技術】
一般に、車両における熱交換装置においては、内気又は外気を導入して熱交換された冷風や温風を車室内に送風する空調ユニットが、車両のインストルメントパネル内に配置されている。空調ユニットには内外気を導入するブロワ装置が配置され、ブロワ装置に導入する空気を清浄するフィルタがブロワ装置内に着脱可能に配置されている。ブロワ装置に導入される内気又は外気は、ブロワ装置内に配置されているファンによって空調ユニット内の下流側に送風されてエバポレータあるいはヒータコアを通ることによって熱交換され、冷風又は温風として車室内に吹き出されることとなっている。
【０００３】
ブロワ装置は、通常、車両の進行方向に対してグローブボックスの奥に配置されて、ブロワ装置のフィルタを交換する際にはグローブボックスを取り外すこととなっていた。そのためにブロワ装置ではフィルタを交換しやすい構造となることが課題として挙げられていた。
【０００４】
従来の一般的なブロワ装置３０は、図７に示すように、モータとファンとを有して内外気を導入するように構成され、本体ケース３１に形成された内気導入口３２と外気導入口３３と、内外気切替用のロータリ式の切替ドア３４と、フィルタ挿入部３５とを備えている。切替ドア３４は、必要に応じて内気を導入したり外気を導入したりするために内気導入口３２を塞ぐかあるいは外気導入口３３を塞ぐか、いずれかに回動可能に配置されている。
【０００５】
フィルタ挿入部３５と内気導入口３２との間は、本体ケース３１の一部であるシール部３１ａによって隔てられて、フィルタ３６がフィルタ挿入部３５内に着脱できるように形成されている。フィルタ３６をフィルタ挿入部３５に挿入した後は、フィルタ挿入部３５のフィルタ挿入口３５１をフィルタカバー３７で覆うように本体ケース３１に装着する。
【０００６】
なお、図７に示す従来のブロワ装置３０は、現在一般的に使用されているものであって特許文献は発見されていない。
【０００７】
【発明が解決しようとする課題】
しかし、近年、自動車の軽量化に伴って自動車に搭載される各装置や各部品のコンパクト化が進むとともに搭載スペースも省スペース化が行われるようになると、空調ユニットの配置位置も制限されるようになってきた。ブロワ装置は、フィルタを交換しやすいように、車両進行方向に対して助手席の前方に配置されたグローブボックスを取り外すことによって正面に位置して配置されていたものが、フィルタ交換スペースが確保できなかったり、また、その位置がずれてフィルタ挿入部の一部にボディフレームの一部がかかったりしてフィルタを正面側から直接抜き出すことができないようになってきた。この場合、フィルタ交換スペースを確保するために空調ユニット自体をフィルタの交換しやすい位置に移動させることになるから、フィルタの交換作業が極めて困難になり長時間の作業となっていた。
【０００８】
図７に示す従来のブロワ装置３０では、フィルタ挿入部３５と内気導入口３２との間には本体ケース３１と一体的に形成されたシール部３１ａが配置されていることから、フィルタ３６を着脱させるには、フィルタ挿入部３５に沿って水平方向に直線的な移動で行わなければならなかった。そのために、フィルタ交換スペースが確保できなかったりグローブボックスを取り外したときにボディフレームの一部がかかったりしていると、上述の課題を解決することができず、フィルタ交換はやはり困難な作業となり長時間の作業となっていた。
【０００９】
本発明は、上述の課題を解決するものであり、ブロワ装置がフィルタ交換スペースを確保できなかったり、また、フィルタの着脱のしにくい位置にあったりしても、極めて容易なフィルタ交換を可能とすることができるブロワ装置を提供することを目的とする。
【００１０】
【課題を解決するための手段】
本発明に係るブロワ装置では、上記の課題を解決するために、請求項１記載の発明では、前記フィルタ挿入部を内気導入口と連接して形成することによって、フィルタ交換の際、フィルタをフィルタ挿入部と内気導入口との間で上下に傾倒させることができ、自由度２で広い範囲での着脱を可能とすることができることから、グローブボックスを外した後、例えば、省スペース化によって、フィルタ交換スペースが確保できなかったりボディフレームの一部がフィルタ挿入部の一部を塞いでいたりしていたとしても、フィルタを内気導入口に向かって挿入後、フィルタ挿入部側に傾倒することによって、フィルタ交換スペースを確保できて短時間で容易にフィルタ交換を行なうことができる。
【００１１】
また、請求項２乃至３記載の発明では、請求項１記載の発明に基づいて、内気導入口を閉鎖する際に、切替ドアの移動を規制するストッパ部を着脱可能に配置することによって切替ドアを正規に機能させることができる。つまり、例えば、フィルタをフィルタ挿入部に挿入した後でフィルタ挿入部に蓋をするフィルタカバーに、切替ドアの端面に当接するストッパ面を形成することによって、フィルタカバーを装着することによって、切替ドアの端面をストッパ面で位置決めすることができる。また、フィルタ挿入の際には、フィルタカバーを装着することがないことから、内気導入口とフィルタ挿入部とは連接した開口部となり、フィルタの交換を、内気導入口を使用して行うことができる。従って自由度２でフィルタ交換作業を行うことができることから、請求項１の発明と同様、フィルタ交換スペースを確保することができる。
【００１２】
【発明の実施の形態】
以下、本発明の一実施形態を図面に基づいて説明する。
【００１３】
実施形態のブロワ装置１は、図１〜２に示すように、上部に内外気切替箱２が配置され下部に図示しないファンとモータを有する空気吸引駆動部３が配置されている。内外気切替箱２は、内部を中空状に形成した本体ケース１１の上部ケース部１１１に内気導入口１２と外気導入口１３が形成され、下部ケース部１１２に、図３に示すフィルタ体５を挿入するフィルタ挿入室１５が形成されている。上部ケース部１１１は、側壁部１１１ｂが両側壁部１１１ｂ・１１１ｂを接続する天井壁部１１１ａを頂点にして略三角状に形成され、両側壁部１１１ｂ・１１１ｂ間には天井壁部１１１ａを間にして、一方の側に前述の内気導入口１２が形成され、他方の側に前述の外気導入口１３が形成されている。上部ケース部１１１の内部は内外気導入室１４として形成される。
【００１４】
また、下部ケース部１１２の側壁部１１２ａは、上部ケース部１１１に連接して略矩形状に形成され、両側壁部１１２ａ・１１２ａ間に、前述のフィルタ挿入室１５が、内気導入口１２側のフィルタ挿入口１５１を開口して内外気導入室１４に連接するように形成される。また、内気導入口１２はフィルタ挿入室１５のフィルタ挿入口１５１と連接した開口部を形成することによって、外気導入口１３の開口部より大きく形成されることとなる。
【００１５】
上部ケース部１１１の両側壁部１１１ｂ・１１１ｂの下部にはそれぞれロータリ式の切替ドア１６を軸支する軸部１７・１７が内方に突出して形成され、下部ケース部１１２の内気導入口１２側の両側壁部１１２ａ・１１２ａ端部に、図１に示すフィルタカバー２１を係止する爪部１８が形成されている。
【００１６】
一方、フィルタカバー２１は、図１又は図４〜５に示すように、本体ケース１１のフィルタ挿入室１５のフィルタ挿入口１５１を塞ぐとともに横方向に長尺状に形成された矩形板状の本体部２２と、本体部２２から上方に延設して、切替ドア１６の内気導入口１２側端面に当接可能なストッパ部２３と、本体部２２の長手方向の両側端面から本体ケース１１側に突出する爪係合部２４・２４とを有して形成されている。このフィルタカバー２１の本体部２２及びストッパ部２３は、それぞれの端縁部が全周あるいは側端部のみ内方に折り曲がるように形成してもよく、爪係合部２４は爪部１８に係合できるものであれば、その形状に限定するものではない。
【００１７】
なお、フィルタカバー２１は、フィルタ挿入室１５に挿入したフィルタ体５の両側部を支持するために、本体部２２の両側部からフィルタ挿入室１５における挿入先側に向かって延設する支持部を形成するようにしてもよい。この場合、支持部はフィルタ体５の上角部を支持するようにＬ字状に形成してもよく、またフィルタ体５の側面部を支持するように内側に向かう断面コ字状に形成してもよい。
【００１８】
また、本体ケース１１の外気導入口１３の周りには、外気導入ダクトの一端を接続するための枠部１３１（図２参照）が全周にわたって形成されている。
【００１９】
フィルタ体５は、図３に示すように、軟質の繊維材を連続的にして折り返すように波状に形成して形成され、フィルタ６の両側部に硬質の布状板部材あるいは金属板７・７がフィルタ６を支持するように装着して形成されている。そのため、フィルタ体５は、フィルタ６の波状方向に沿っては折り曲げることができないことから、フィルタ体５をフィルタ挿入室１５に挿入する際には、内気導入口７から斜め方向に挿入して傾倒するようにフィルタ挿入室１５に挿入することとなる。
【００２０】
次に、上記のように構成されたブロワ装置１の交換作業について、図６に基づいて説明する。
【００２１】
フィルタ体５をフィルタ挿入室１５内に組み付けたブロワ装置１は、図１に示すように、フィルタカバー２１をフィルタ挿入室１５のフィルタ挿入口１５１側に装着するとともに、切替ドア１６を内気導入口１２と外気導入口１３とのいずれかを開閉可能にするために軸部１７に回動可能に装着されている。
【００２２】
ブロワ装置１は、図示しない空調ユニットのユニットケースに連結して、ユニットケース自体を自動車のインストルメントパネル内に配置する。そして、ブロワ装置は、フィルタ交換しやすいように、助手席側グローブボックスの車両進行方向における前方に配置している。
【００２３】
フィルタ体５の交換の際、グローブボックスを取り外すと、ブロワ装置１のフィルタカバー２１が正面に現れることになり、フィルタカバー２１の爪係合部２４を本体ケース１１の爪部１８より係合解除して本体ケース１１より取り外す。この際、切替ドア１６を外気導入口１３側に回動して、外気導入口１３を塞ぐような位置に回動しておく。
【００２４】
これによって、内気導入口１２とフィルタ挿入室１５との間は遮蔽されずに連接して形成されていることから、開口部が広くなってフィルタ体５を着脱しやすくできる。フィルタ体５は前述のように折り曲げることができないことから、フィルタ挿入室１５に挿入されているフィルタ体５を、フィルタ挿入室１５から上方に傾倒させて内気導入口１２側に傾倒するように移動させて、内気導入口１２からフィルタ体５を取り出す。
【００２５】
次に、新しいフィルタ体５をフィルタ挿入室１５に挿入することとなる。新しいフィルタ体５を内気導入口１２の上方の位置からフィルタ挿入室１５の奥に向かって斜め方向に挿入し（図６中、実線で示す）、その位置から、新しいフィルタ体５を下方に傾倒させてフィルタ挿入室１５に挿入する（図６中、二点鎖線で示す）こととなる。
【００２６】
フィルタ体５がフィルタ挿入室１５に挿入されると、ストッパ部２３を上方に配置した状態でフィルタカバー２１をフィルタ挿入室１５のフィルタ挿入口１５１に配置させ、爪係合部２４を本体ケース１１の爪部１８に係合して装着する。これによって、切替ドア１６が内気導入口を塞ぐように作用しても、切替ドア１６の端部がフィルタカバー２１のストッパ部２３の端面に当接して位置決めすることが可能となる。
【００２７】
上記のように、実施形態のブロワ装置１によれば、フィルタ挿入部１５は、フィルタカバー２１を取り外すことによって、内気導入口１２と連接することとなって、広い開口部を得られることとなることから、フィルタ体５をフィルタ挿入室１５に挿入する際には、自由度２となり、内気導入口１２の上部からフィルタ挿入室１５の挿入奥側に向かって斜め方向に挿入することができて、極めて短時間で容易にフィルタ体５の交換作業を行うことができる。
【００２８】
従って、たとえ、ブロワ装置の周りにフィルタ体５の交換スペースがなくても、またブロワ装置のフィルタ挿入室１５の正面入口にボディフレームの一部がフィルタ挿入室１５を塞ぐように配置されていても、自由度２によって上下方向に傾倒できることから、フィルタ体５を容易に着脱することが可能となる。
【００２９】
しかもフィルタカバー２１を本体ケース１１に装着することによって、切替ドア１６の位置決めを行うことができることから、ブロワ装置を作用する際に、切替ドア１６で内外気の切り替え作用を行うことができる。また、フィルタ体５の交換作業においては、切替ドア１６がストッパ部で位置決めされていなくても何等支障はなくフィルタ体５の交換作業を容易に行なうことができる。
【００３０】
なお、本発明のブロワ装置は、上記の形態に限定することなく、例えば、フィルタカバー２１に形成するストッパ面を削除して、フィルタカバーとストッパ部とを別体で形成して、それぞれ別に本体ケース１１に着脱できるように構成してもよい。
【図面の簡単な説明】
【図１】本発明の一形態によるブロワ装置の一部を示す斜視図である。
【図２】図１におけるブロワ装置の断面図である。
【図３】図１におけるフィルタを示す斜視図である。
【図４】図１のフィルタカバーの正面図である。
【図５】同側面図である。
【図６】フィルタ交換作用を示す断面図である。
【図７】従来のブロワ装置の一部を示す斜視図である。
【符号の説明】
１  ブロワ装置
２  内外気切替箱
５  フィルタ体
１１  本体ケース
１２  内気導入口
１３  外気導入口
１５  フィルタ挿入室
１５１  フィルタ挿入口
１６  切替ドア
１８  爪部
２１  フィルタカバー
２２  本体部
２３  ストッパ部
２４  爪係合部
【図１】
2005001415.tif 000003
【図２】
2005001415.tif 000004
【図３】
2005001415.tif 000005
【図４】
2005001415.tif 000006
【図５】
2005001415.tif 000007
【図６】
2005001415.tif 000008
【図７】
2005001415.tif 000009